(57)【要約】【課題】消耗部品について、算出する交換時期の精度を高くするためには、温度や湿度、および照度についての情報を、プロジェクタの使用時に取得する必要がある。【解決手段】ステップＳ１１にて、プロジェクタから送信される使用時の温度、湿度、照度の各データを受信処理する。そして、ステップＳ１３にて、各データから、光量、温度暴露量、湿度暴露量を算出する処理を行い、ステップＳ１４にて、パネルの寿命を算定処理する。次に、ステップＳ１５にて、プロジェクタの累積使用時間を算出処理し、ステップＳ１６にて、プロジェクタの使用時間率を算出する。次に、ステップＳ１７にて、パネル交換時期を算定処理する。こうして、プロジェクタから送信される使用時の情報データを用いて各消耗部品の交換時期を算定することができる。【選択図】図６
2009251488.tif 000002
【特許請求の範囲】
【請求項１】
プロジェクタと、当該プロジェクタに用いられる消耗部品の寿命に関する情報データを管理する管理装置と、からなるプロジェクタ管理システムであって、
前記プロジェクタは、
当該プロジェクタの使用時に前記情報データを取得する取得部と、
前記取得された情報データを前記管理装置に送信する送信部と、
を備え、
前記管理装置は、
前記プロジェクタから送信される情報データを受信する受信部と、
前記受信された情報データを用いて、前記消耗部品の寿命を算定する寿命算定部と、
前記受信された情報データと前記算定された寿命とを用いて、前記消耗部品の交換時期を算定する交換時期算定部と、
を備える、
ことを特徴とするプロジェクタ管理システム。
【請求項２】
請求項１に記載のプロジェクタ管理システムであって、
前記プロジェクタが備える前記取得部は、前記プロジェクタの使用時における予め定められたタイミングで前記情報データを取得することを特徴とするプロジェクタ管理システム。
【請求項３】
請求項１または２に記載のプロジェクタ管理システムであって、
前記管理装置は、
前記プロジェクタの保守管理者が認知できる通知方法を用いて、前記交換時期を当該プロジェクタの保守管理者に通知する通知部を備える、
ことを特徴とするプロジェクタ管理システム。
【請求項４】
請求項３に記載のプロジェクタ管理システムであって、
前記通知部は、
前記算定された交換時期までの期間が、前記消耗部品に応じて予め定められた期間以内であった時通知することを特徴とするプロジェクタ管理システム。
【請求項５】
請求項１ないし４のいずれか一項に記載のプロジェクタ管理システムであって、
前記消耗部品は、光源であり、
前記情報データは、前記プロジェクタの使用開始および終了日時と、前記プロジェクタの使用時における前記光源の照度とを含むデータであることを特徴とするプロジェクタ管理システム。
【請求項６】
請求項１ないし４のいずれか一項に記載のプロジェクタ管理システムであって、
前記消耗部品は、光源からの光を変調するパネルであり、
前記情報データは、前記プロジェクタの使用開始および終了日時と、前記プロジェクタの使用時の前記パネルの照度、前記プロジェクタの使用時の前記パネルの温度、前記プロジェクタ使用時の前記パネルの湿度であることを特徴とするプロジェクタ管理システム。
【請求項７】
請求項１ないし４のいずれか一項に記載のプロジェクタ管理システムであって、
前記消耗部品は、偏光板であり、
前記情報データは、前記プロジェクタの使用開始および終了日時と、前記プロジェクタの使用時における前記偏光板の照度、前記プロジェクタ使用時の前記偏光板の温度、前記プロジェクタ使用時の前記偏光板の湿度であることを特徴とするプロジェクタ管理システム。
【請求項８】
請求項１ないし７のいずれか一項に記載のプロジェクタ管理システムであって、
前記送信部は、前記情報データを、前記プロジェクタの使用終了から前記プロジェクタへの電源供給切断までのタイミングで前記管理装置に送信することを特徴とするプロジェクタ管理システム。
【請求項９】
請求項１ないし８のいずれか一項に記載のプロジェクタ管理システムであって、
前記プロジェクタは、
前記取得部が前記情報データを取得する都度、取得した当該情報データを蓄積して記憶する記憶部を備え、
前記送信部は、前記管理装置に送信するタイミング毎に、前記記憶部に蓄積された前記情報データを送信することを特徴とするプロジェクタ管理システム。
【請求項１０】
プロジェクタと、当該プロジェクタに用いられる消耗部品の寿命に関する情報データを取得し、当該取得した情報データ用いて、前記消耗部品の交換時期を算定する管理装置と、からなるプロジェクタ管理システムに用いられるプロジェクタであって、
前記プロジェクタの使用時に前記情報データを取得する取得部と、
前記取得部が取得した情報データを、前記管理装置が取得できる通信方法で送信する送信部と、
を備えることを特徴とするプロジェクタ。
【請求項１１】
プロジェクタと、当該プロジェクタに用いられる消耗部品の寿命に関する情報データを管理する管理装置と、からなるプロジェクタ管理システムに用いられる管理装置であって、
前記プロジェクタの使用時に取得され当該プロジェクタから送信される情報データを受信する受信部と、
前記受信された情報データを用いて、前記消耗部品の寿命を算定する寿命算定部と、
前記受信された情報データと前記算定された寿命とを用いて、前記消耗部品の交換時期を算定する交換時期算定部と、
を備える、
ことを特徴とする管理装置。
【請求項１２】
プロジェクタから、当該プロジェクタに用いられる消耗部品の寿命に関する情報データを管理する管理装置に、前記情報データを送信するデータ送信方法であって、
前記プロジェクタの使用時に前記情報データを取得し、前記取得した情報データを、前記プロジェクタに送信することを特徴とするデータ送信方法。
【請求項１３】
プロジェクタから送信される当該プロジェクタに用いられる消耗部品の寿命に関する情報データを受信する管理装置において、当該受信した情報データから前記消耗部品の交換時期を算定する交換時期算定方法であって、
前記プロジェクタの使用時に送信される前記情報データを用い、前記消耗部品の寿命を算定し、前記受信された情報データと前記算定された寿命とを用いて、前記消耗部品の交換時期を算定することを特徴とする交換時期算定方法。
【発明の詳細な説明】
【技術分野】
【０００１】
本発明は、プロジェクタ管理システム、このプロジェクタ管理システムに用いられるプロジェクタとプロジェクタの管理装置、プロジェクタからのデータ送信方法、およびプロジェクタの消耗品についての交換時期算定方法に関する。
【背景技術】
【０００２】
プロジェクタは、会社内での会議において資料画像を投影したり、所定のスクリーンへ広告画像を投影したりするなど、その利用範囲が広がっている。ところで、このようなプロジェクタには、光源としてのキセノンランプや高圧水銀ランプ（単に「ランプ」）や、光変調装置としてのパネル（「ライトバルブ」とも称す）など、通常所定時間の寿命を有する種々の消耗部品が使用されている。従って、プロジェクタの使用中、例えば高圧水銀ランプが寿命時間に到達して切れてしまうと、プロジェクタが使用できない状態になってしまう。
【０００３】
そこで、ランプが切れる前に新しいランプに容易に交換できるようにする技術として、例えば、プロジェクタの累積使用時間を記憶し、ランプの寿命までの時間を通知する技術が特許文献１に開示されている。特許文献１に開示された技術は、プロジェクタが使用された累積時間からランプの寿命時間を算出し、プロジェクタからの投影画像にランプの寿命までの時間を重畳表示したり、プロジェクタ本体にランプの寿命までの時間を表示したりするものである。従って、プロジェクタの管理者は、表示されたランプ寿命までの時間を視認して、使用中にランプが切れることがないよう、適切にランプ交換を行うことができるのである。
【０００４】
【特許文献１】特開２００２−２８７２４３号公報
【発明の開示】
【発明が解決しようとする課題】
【０００５】
特許文献１に開示された技術において、プロジェクタからの投影画像にランプの寿命までの時間を重畳表示させるためには、決められたボタン操作を行うなど、予め定められた入力操作を行う必要がある。しかしながら、例えば会社内では、実際にはプロジェクタの管理者以外の多数の使用者がプロジェクタを使用することが多く、このような場合、使用者は、必ずしも決められたボタン操作を行わないことが多い。このため、投影画像に重畳表示されるランプの寿命までの時間を確認することがないので、ランプ交換が遅れ、プロジェクタの使用中にランプが切れて使用できなくなってしまうという課題がある。
【０００６】
また、特許文献１に開示された技術を用いて、ランプの寿命までの時間を表示しても、表示を行う機器（ＰＣ）が離れたところに置かれている場合は、ランプの寿命までの時間を視認することが容易ではない。また、表示部分をプロジェクタ本体に設けた場合でも、プロジェクタが、例えば、高い天井や箱の中などに設置して使用された場合、表示そのものを視認する作業が容易でない。このような場合、プロジェクタの管理者は、やむを得ず、ランプ交換時期を推定してランプ交換を行うことがある。すると、推定したランプ交換時期に生ずる推定誤差のためにランプ交換が遅れ、プロジェクタの使用中にランプが切れて使用できなくなってしまうという課題がある。また、プロジェクタの管理者は、表示を視認する作業が困難であることから、表示を視認する作業頻度を少なくする場合がある。このような場合、表示を視認する作業と作業との間にランプ寿命になることが起こり得るため、ランプ交換を適切に行うことができないことになる。
【０００７】
ところで、特許文献１に開示された技術は、プロジェクタが使用された累積時間からランプの寿命時間を算出するものであった。しかしながら、プロジェクタの消耗部品は、累積使用時間以外に使用時の温度や湿度、あるいは光源からの光の強さ（照度）の値によって、その寿命が異なる部品（例えばライトバルブなど）が存在することが知られている。そこで、このような消耗部品について、算出する交換時期の精度を高くするためには、温度や湿度、および照度についての情報を、プロジェクタの使用時に取得する必要がある。
【課題を解決するための手段】
【０００８】
本発明は、上述の課題の少なくとも一部を解決するためになされたものであり、以下の形態または適用例として実現することが可能である。
【０００９】
［適用例１］プロジェクタと、当該プロジェクタに用いられる消耗部品の寿命に関する情報データを管理する管理装置と、からなるプロジェクタ管理システムであって、前記プロジェクタは、当該プロジェクタの使用時に前記情報データを取得する取得部と、前記取得された情報データを前記管理装置に送信する送信部と、を備え、前記管理装置は、前記プロジェクタから送信される情報データを受信する受信部と、前記受信された情報データを用いて、前記消耗部品の寿命を算定する寿命算定部と、前記受信された情報データと前記算定された寿命とを用いて、前記消耗部品の交換時期を算定する交換時期算定部と、を備えることを特徴とする。
【００１０】
このシステムによれば、プロジェクタの使用時にプロジェクタから送信される消耗部品に関する情報データを用いて、消耗部品についての寿命を算定し、算定した寿命から消耗部品の交換時期を算定する。従って、算定した消耗部品の交換時期の精度は高いことが期待できる。ここで、本適用例におけるプロジェクタの使用時とは、光源が点灯している時を意味する。なお、以降の適用例においても同様である。
【００１１】
［適用例２］上記プロジェクタ管理システムであって、前記プロジェクタが備える前記取得部は、前記プロジェクタの使用時における予め定められたタイミングで前記情報データを取得することを特徴とする。
【００１２】
こうすれば、プロジェクタの使用時における予め定められたタイミングで取得された情報データを用いて寿命を算定し、算定した寿命から消耗部品の交換時期を算定することができる。従って、例えば、プロジェクタが連続して画像を投射するような使用方法であっても、例えば２４時間毎や一月毎に情報データを送信することによって、消耗部品の交換時期を算定することができる。
【００１３】
［適用例３］上記プロジェクタ管理システムであって、前記管理装置は、前記プロジェクタの保守管理者が認知できる通知方法を用いて、前記交換時期を当該プロジェクタの保守管理者に通知する通知部を備える、ことを特徴とする。
【００１４】
こうすれば、プロジェクタの保守管理者に消耗部品の交換時期を通知することができるので、消耗部品は、プロジェクタの保守管理者によって確実に交換されることが期待できる。
【００１５】
［適用例４］上記プロジェクタ管理システムであって、前記通知部は、前記算定された交換時期までの期間が、前記消耗部品に応じて予め定められた期間以内であった時通知することを特徴とする。
【００１６】
こうすれば、消耗部品の交換時期を消耗部品に応じた期間前にプロジェクタの保守管理者に通知することができるので、消耗部品は、プロジェクタの保守管理者によって寿命前に確実に交換されることが期待できる。
【００１７】
［適用例５］上記プロジェクタ管理システムであって、前記消耗部品は、光源であり、前記情報データは、前記プロジェクタの使用開始および終了日時と、前記プロジェクタの使用時における前記光源の照度とを含むデータであることを特徴とする。
【００１８】
こうすれば、プロジェクタの光源について、正しく寿命を算定することができるので、光源の交換時期を適切に算定する確率が高くなる。
【００１９】
［適用例６］上記プロジェクタ管理システムであって、前記消耗部品は、光源からの光を変調するパネルであり、前記情報データは、前記プロジェクタの使用開始および終了日時と、前記プロジェクタの使用時の前記パネルの照度、前記プロジェクタの使用時の前記パネルの温度、前記プロジェクタ使用時の前記パネルの湿度であることを特徴とする。
【００２０】
こうすれば、プロジェクタの光源からの光を変調するパネルについて、正しく寿命を算定することができるので、パネルの交換時期を適切に算定する確率が高くなる。なお、本適用例において、パネルは、透過する光を変調する透過型ライトバルブ、および反射する光を変調する反射型ライトバルブが適用可能である。
【００２１】
［適用例７］上記プロジェクタ管理システムであって、前記消耗部品は、偏光板であり、前記情報データは、前記プロジェクタの使用開始および終了日時と、前記プロジェクタの使用時における前記偏光板の照度、前記プロジェクタ使用時の前記偏光板の温度、前記プロジェクタ使用時の前記偏光板の湿度であることを特徴とする。
【００２２】
こうすれば、偏光板について、正しく寿命を算定することができるので、偏光板の交換時期を適切に算定する確率が高くなる。
【００２３】
［適用例８］上記プロジェクタ管理システムであって、前記送信部は、前記情報データを、前記プロジェクタの使用終了から前記プロジェクタへの電源供給切断までのタイミングで前記管理装置に送信することを特徴とする。
【００２４】
こうすれば、プロジェクタの使用終了の都度、消耗部品に関する情報データを送信するので、管理装置が受信の都度算定する消耗部品の寿命は、算定精度が高くなることが期待できる。
【００２５】
［適用例９］上記プロジェクタ管理システムであって、前記プロジェクタは、前記取得部が前記情報データを取得する都度、取得した当該情報データを蓄積して記憶する記憶部を備え、前記送信部は、前記管理装置に送信するタイミング毎に、前記記憶部に蓄積された前記情報データを送信することを特徴とする。
【００２６】
こうすれば、プロジェクタの使用に関する情報データを蓄積した蓄積データを、都度管理装置に送信するので、情報データの蓄積データを管理装置に設ける必要がない。従って、管理装置の記憶容量が少なくて済む。
【００２７】
［適用例１０］プロジェクタと、当該プロジェクタに用いられる消耗部品の寿命に関する情報データを取得し、当該取得した情報データ用いて、前記消耗部品の交換時期を算定する管理装置と、からなるプロジェクタ管理システムに用いられるプロジェクタであって、前記プロジェクタの使用時に前記情報データを取得する取得部と、前記取得部が取得した情報データを、前記管理装置が取得できる通信方法で送信する送信部と、を備えることを特徴とする。
【００２８】
このプロジェクタによれば、プロジェクタの使用の都度、情報データを管理装置に送信することができる。従って、管理装置が用いる情報データは、プロジェクタが実際に使用された状態で得られる情報データとすることができる。この結果、消耗部品の交換時期を正しく算定できる確率が高くなる。
【００２９】
［適用例１１］プロジェクタと、当該プロジェクタに用いられる消耗部品の寿命に関する情報データを管理する管理装置と、からなるプロジェクタ管理システムに用いられる管理装置であって、前記プロジェクタの使用時に取得され当該プロジェクタから送信される情報データを受信する受信部と、前記受信された情報データを用いて、前記消耗部品の寿命を算定する寿命算定部と、前記受信された情報データと前記算定された寿命とを用いて、前記消耗部品の交換時期を算定する交換時期算定部と、を備える、ことを特徴とする。
【００３０】
この管理装置によれば、プロジェクタの使用時の情報データを用いて、消耗部品の寿命を算定するので、消耗部品の寿命は適切に算定される確率が高くなる。従って、算定される消耗部品の交換時期についても算定精度が高くなることが期待できる。
【００３１】
［適用例１２］プロジェクタから、当該プロジェクタに用いられる消耗部品の寿命に関する情報データを管理する管理装置に、前記情報データを送信するデータ送信方法であって、前記プロジェクタの使用時に前記情報データを取得し、前記取得した情報データを、前記プロジェクタに送信することを特徴とする。
【００３２】
この方法によれば、プロジェクタの使用時の情報データを送信することができる。従って、管理装置が管理する情報データは、プロジェクタが実際に使用された状態で得られる情報データとすることができる。
【００３３】
［適用例１３］プロジェクタから送信される当該プロジェクタに用いられる消耗部品の寿命に関する情報データを受信する管理装置において、当該受信した情報データから前記消耗部品の交換時期を算定する交換時期算定方法であって、前記プロジェクタの使用時に送信される前記情報データを用い、前記消耗部品の寿命を算定し、前記受信された情報データと前記算定された寿命とを用いて、前記消耗部品の交換時期を算定することを特徴とする。
【００３４】
この方法によれば、プロジェクタの使用時の情報データを用いて、消耗部品の寿命を算定するので、算定される消耗部品の寿命は算定精度が高くなる。従って、算定される消耗部品の交換時期についても算定精度が高くなることが期待できる。
【発明を実施するための最良の形態】
【００３５】
以下、本発明を実施例に基づいて説明する。図１は、本発明を具現化した一実施例となるプロジェクタ管理システムの概要を説明する説明図である。このシステムは、消耗部品の寿命に関する情報データの取得対象となるプロジェクタＰＪ１またはプロジェクタＰＪ２と、管理装置として機能するコンピュータ１０とからなるシステムである。
【００３６】
本実施例では、プロジェクタＰＪ１は、例えば会議室などの天井に取り付けられ、図示しないスクリーンに所定の画像を投影するように構成されたものである。そして、ローカルエリアネットワークなどの構内回線ＬＡＮに接続され、このＬＡＮを経由して伝送される画像データを投影表示するように構成されているものとする。従って、プロジェクタＰＪ１は、プロジェクタＰＪ１に使用されている消耗部品（後述する）の寿命に関する情報データを、接続されたＬＡＮに出力するように構成されている。そして出力された情報データは、ＬＡＮを経由してさらにインターネットなどの所定のネットワークＮＴに出力されて送信されるように構成されている。
【００３７】
また、プロジェクタＰＪ２は可搬性の良いプロジェクタであり、例えば机上に置いて使用するものである。従って、プロジェクタＰＪ２は、ＬＡＮに対してプロジェクタＰＪ２に使用されている消耗部品の寿命に関する情報データを送信する際、所定の無線通信方式（例えば赤外線通信方式やBluetooth（登録商標））を用いてその情報データをＬＡＮに接続された受信機に送信する。その後送信された情報データは、受信機を経由してＬＡＮに出力され、インターネットなどの所定のネットワークＮＴに出力されて送信されるように構成されている。
【００３８】
もとより、プロジェクタＰＪ１またはプロジェクタＰＪ２は、ＬＡＮを経由することなく、ネットワークＮＴに直接情報データを送信できるように接続されていることとしても勿論よい。
【００３９】
コンピュータ１０は、ネットワークＮＴを介して、プロジェクタＰＪ１（プロジェクタＰＪ２）から送信される消耗部品の寿命に関する情報データを受信し、後述する消耗部品についての交換時期を算定する。コンピュータ１０には、データの出力手段としての表示装置２０が接続され、消耗部品についての交換時期を算定する処理に関するデータを、表示して出力する。また、コンピュータ１０には、データの入力手段としてのキーボード２１やマウス２２が接続され、消耗部品についての交換時期を算定する処理に関するデータを、必要に応じて入力できるように構成されている。
【００４０】
次に、プロジェクタＰＪ１について、具体的な構成を図２を用いて説明する。なお、プロジェクタＰＪ２は、プロジェクタＰＪ１に対してデータの無線通信手段をさらに備えたものである。従って、プロジェクタＰＪ２については、無線通信手段として周知の無線通信回路を採用追加すればよいことから、プロジェクタＰＪ２の説明は省略し、以降、プロジェクタＰＪ１について説明を行うこととする。
【００４１】
図２は、プロジェクタＰＪ１の概略構成を示した説明図である。プロジェクタＰＪ１は、透過型の液晶パネルを用いた光学系を備え、光源５０と、特定波長を透過あるいは反射して分光するダイクロイックミラー４１，４２と、光を反射するミラー４３，４４，４５と、クロスプリズム９０と、画素ごとに光の透過量を調節する光変調器（ライトバルブ）として機能する透過型の液晶パネルであるパネル６０、パネル７０、パネル８０と、を備えている。光源５０は、本実施例では高圧水銀ランプが用いられる。他にキセノンランプやメタルハライドランプなどを用いることもできる。
【００４２】
光源５０から射出される照射光は、まずＲ光がダイクロイックミラー４１を透過して分光する。透過したＲ光は、ミラー４４で反射してパネル６０に入射する。また、ダイクロイックミラー４１で反射した照射光のうち、Ｇ光はダイクロイックミラー４２で反射して分光し、パネル７０に入射する。一方、Ｂ光はダイクロイックミラー４２を透過して分光し、ミラー４３，４５で反射してパネル８０に入射する。
【００４３】
パネル６０，７０，８０にそれぞれ入射したＲ光、Ｇ光、Ｂ光は、クロスプリズム９０内に形成されたダイクロイックミラー面によって反射され、再び合成されて投射レンズ９１から射出する。こうして、光源５０からの照射光は、パネル６０，７０，８０によって光変調されてスクリーン上などに投射される。
【００４４】
各パネル６０，７０，８０の前後、すなわち照射光の入射側には偏光板６１，７１，８１が、照射光の射出側には偏光板６２，７２，８２が、それぞれ配置されている。入射側の偏光板と射出側の偏光板とは、偏光軸が互いに凡そ直交するか、若しくは凡そ平行になるように配置され、パネルによる光変調作用によって各偏光板６２，７２，８２を透過するＲ光、Ｇ光、Ｂ光の光量が画素単位で制御されるように構成されている。また、入射側の偏光板６１，７１，８１は、パネル６０，７０，８０に貼り付けられていたり、射出側の偏光板６２，７２，８２は、クロスプリズム９０にそれぞれ貼り付けられていたりする場合もある。
【００４５】
さて、本実施例では、各パネル６０，７０，８０、および各パネル６０，７０，８０の前後にそれぞれ配置された偏光板６１，６２と偏光板７１，７２と偏光板８１，８２、さらに光源５０が消耗部品に該当する。そして、これらの消耗部品の寿命に関する情報データとして、本実施例では、使用時間の他に、パネル６０，７０，８０、および偏光板６１，６２と偏光板７１，７２と偏光板８１，８２、については温度データと湿度データが、また、光源５０については照度データが必要である。なお、情報データとして使用時間、温度、湿度、照度のデータが必要である理由については後述する。
【００４６】
そこで、本実施例では、パネル６０、および偏光板６１，６２の温度を測定するために、パネル６０の近傍であって、パネル６０および偏光板６１，６２の温度が凡そ正しく得られる位置に温度センサＴｒＳが設置されている。同様に、パネル７０、および偏光板７１，７２の温度を測定するために、パネル７０の近傍であって、パネル７０および偏光板７１，７２の温度が凡そ正しく得られる位置に温度センサＴｇＳが設置されている。また、パネル８０、および偏光板８１，８２の温度を測定するために、パネル８０の近傍であって、パネル８０および偏光板８１，８２の温度が凡そ正しく得られる位置に温度センサＴｂＳが設置されている。
【００４７】
また、湿度を測定するために、湿度センサＨＳが設置されている。本実施例では、各パネル６０，７０，８０、および各偏光板６１，６２，７１，７２，８１，８２の周辺における湿度はほぼ同じであるものとし、これらの湿度がおおよそ正しく得られる位置に、湿度センサＨＳが設置されている。なお、湿度の値が各パネル６０，７０，８０、あるいは各偏光板６１，６２，７１，７２，８１，８２に依存して異なる場合は、それぞれに湿度センサを設けることとすればよい。
【００４８】
また、照度を測定するために、図示するように照度センサＬＳが設置されている。照度センサＬＳは、光源５０から射出される照射光を遮蔽しない位置であって、照射光の照度がおおよそ正しく得られる位置に設置されている。本実施例では、各パネルおよび各偏光板への入射光の照度は、光源５０から射出される照射光の照度と比例するものとし、光源５０の照射光の照度を、各消耗部品の寿命算定に用いることができるものとする。なお、照度の値が、各パネル６０，７０，８０あるいは各偏光板６１，６２，７１，７２，８１，８２のそれぞれにおいて、光源５０の照度と比例せず異なる場合は、投射するＲ光、Ｇ光、Ｂ光を遮蔽しないように、それぞれに対して照度センサを設けることとすればよい。
【００４９】
さて、プロジェクタＰＪ１には制御部１００が設けられている。制御部１００は、プロジェクタＰＪ１の使用に伴う諸動作（例えば、各パネル６０，７０，８０への画像表示や、光源５０の点灯および消灯、さらに図示しない冷却ファンの駆動など）を司る。
【００５０】
特に、制御部１００は、本実施例において各消耗部品の寿命に関する情報データを取得して送信する機能を司る。従って、これらの各センサからの出力は、制御部１００に入力される。制御部１００は、図中吹き出し部に示した機能ブロックを有し、各温度センサＴｒＳ，ＴｇＳ，ＴｂＳ、湿度センサＨＳ、照度センサＬＳのデータとプロジェクタＰＪ１の使用時間に関するデータをコンピュータ１０に送信するように構成されている。
【００５１】
具体的には、制御部１００は、ＣＰＵ１１０がＲＯＭ１３０に格納された処理手順に従って動作することによって、取得部１１１として機能する。すなわち、ＣＰＵ１１０は、入力インターフェイス（Ｉ／Ｆ）１４０を介して、各温度センサＴｒＳ，ＴｇＳ，ＴｂＳ、湿度センサＨＳ、照度センサＬＳのデータを、ＣＰＵ１１０が扱えるデジタルデータに変換し、ＲＡＭ１２０に格納することによって取得する。また、プロジェクタＰＪ１の使用に際して光源駆動回路１６０を制御し、光源５０について点灯および消灯の動作制御を行うとき、その点灯時刻（年、月、日を含む）および消灯時刻（年、月、日を含む）を、内蔵する時計回路１７０から読み取り、読み取った各時刻を同じくＲＡＭ１２０に格納することによって取得する。時計回路１７０は、プロジェクタＰＪ１の電源とは異なる専用電源（例えば電池など）によって動作するなど、常に正しい時刻を刻むように構成されている。
【００５２】
また、ＣＰＵ１１０は、ＲＯＭ１３０に格納された処理手順に従って動作することによって、送信部１１２としても機能する。すなわち、ＲＡＭ１２０に格納した各温度センサＴｒＳ，ＴｇＳ，ＴｂＳ、湿度センサＨＳ、照度センサＬＳのデータ、および光源５０の点灯時刻（年、月、日を含む）および消灯時刻（年、月、日を含む）の各データを、出力インターフェイス（Ｉ／Ｆ）１５０を介して、管理装置１０がこれらのデータを取得できる所定のデータ形式に変換して出力する。このとき、プロジェクタＰＪ１を特定するＩＤデータ（例えばＭＡＣデータやＩＰデータ）を一緒に出力する。
【００５３】
なお、前述したように、プロジェクタＰＪ２では、この出力Ｉ／Ｆ１５０からの出力データを無線通信用データに変調して送信する図示しない無線送信回路が備えられている。そして、無線送信回路によって無線送信されたデータは、受信機によって受信され、その後元のデータに復調されてＬＡＮに出力されるのである。
【００５４】
次に、管理装置としてのコンピュータ１０について、その具体的な構成を図３を用いて説明する。なお、本実施例では、コンピュータ１０が管理装置として機能することから、以降コンピュータ１０を管理装置１０と呼ぶこととする。
【００５５】
図３は、管理装置１０の概略構成を示した説明図である。図示するように、管理装置１０は、管理装置としての処理を司るＣＰＵ１１と、ＣＰＵ１１が行う処理手順を規定するプログラムを格納したＲＯＭ１７と、ＣＰＵ１１が行う処理に際して、必要なデータを記憶するメモリとして機能するＲＡＭ１６と、をそれぞれ具備している。また、キーボード２１やマウス２２からのデータを入力するための入力Ｉ／Ｆ１８、表示装置２０にデータを出力するための出力Ｉ／Ｆ１９を備えている。これらは、バスラインで互いに接続されている。
【００５６】
ＣＰＵ１１は、ＲＯＭ１７に格納されたプログラムに従って処理を行うことによって、受信部１２、寿命算定部１３、交換時期算定部１４として機能する。各部はそれぞれ以下の処理を司る。受信部１２は、入力Ｉ／Ｆ１８を介して、プロジェクタＰＪ１から送信される情報データを受信し、ＲＡＭ１６に記憶する。寿命算定部１３は、記憶した情報データを用いて、各消耗部品（各パネル６０，７０，８０、偏光板６１，６２と偏光板７１，７２と偏光板８１，８２、および、光源５０）の寿命を算定する。交換時期算定部１４は、算定された寿命から各消耗部品の交換時期を算定する。管理装置１０は、このようにプロジェクタＰＪ１に使用されている消耗部品についての交換時期を算定する機能が構成されている。
【００５７】
ここで、消耗部品についての寿命を算定する際、情報データとして、使用時間、温度、湿度、照度の各データが必要であると前述したが、これについて、図４を用いて説明する。図４は、これらの各データが、消耗部品の寿命に対してどのように影響を及ぼすかについて、実際に試験を行って確かめた結果を示した説明図である。図４（ａ）は、照度と使用時間とが寿命に及ぼす影響について、図４（ｂ）は、温度と使用時間とが寿命に及ぼす影響について、図４（ｃ）は、湿度と使用時間が寿命に及ぼす影響について、それぞれ示している。
【００５８】
まず、照度については、図４（ａ）に示すように、光量の逆数つまり照度と使用時間を乗算した値の逆数が大きいほど寿命が長くなる関係になる。例えば消耗部品が偏光板である場合、一例として偏光板６１（図２参照）の偏光軸を透過せず吸収されるＲ光によって生ずる熱量は照度が高いほど、また照射されている時間が長いほど大きくなる。従って偏光板材料が劣化する度合いは、光量とともに大きくなるので、寿命ＪＬは光量の逆数に凡そ比例する関係になり、本実施例では、ＪＬ＝Ａ１／光量＋Ｄ１（Ａ１とＤ１は定数）の直線で近似される。この結果、受信した情報データのうちの照度と使用時間のデータから算出した光量の値がＬＧであれば、寿命ＪＬは、「Ａ１／ＬＧ＋Ｄ１」と算定される。なお、光量が寿命に及ぼす影響は、パネルおよび光源についても定数Ａ１，Ｄ１の値が異なるものの、偏光板と同様であることが確かめられている。
【００５９】
次に、温度については、図４（ｂ）に示すように、温度暴露量の逆数つまり温度と使用時間を乗算した値の逆数が大きいほど寿命が長くなる関係になる。例えば、消耗部品がパネルである場合、パネルの温度が高いほど、またその温度にさらされている時間が長いほど、一例としてパネル内の液晶や配向膜が劣化する。従ってパネルが劣化する度合いは、温度暴露量とともに大きくなるので、寿命ＪＬは温度暴露量の逆数に凡そ比例する関係になり、本実施例では、寿命ＪＬは、ＪＬ＝Ａ２／温度暴露量＋Ｄ２（Ａ２とＤ２は定数）の直線で近似される。この結果、受信した情報データのうちの温度と使用時間のデータから算出した温度暴露量の値がＴＧであれば、寿命ＪＬは、「Ａ２／ＴＧ＋Ｄ２」と算定される。なお、温度が寿命に及ぼす影響は、偏光板については、定数Ａ２，Ｄ２の値が異なるものの、パネルと同様であることが確かめられている。一方、光源５０については、温度が寿命に及ぼす影響が小さく、本実施例では考慮しないこととする。
【００６０】
次に、湿度については、図４（ｃ）に示すように、湿度暴露量の逆数つまり湿度と使用時間を乗算した値の逆数が大きいほど寿命が長くなる関係になる。例えば、消耗部品がパネルである場合、パネルの湿度が高いほど、またその湿度にさらされている時間が長いほど、パネルの封止領域からパネル内部に侵入する水分が多くなり、パネルが劣化する。従ってパネルが劣化する度合いは、湿度暴露量とともに大きくなるので、寿命ＪＬは湿度暴露量の逆数に凡そ比例する関係になり、本実施例では、ＪＬ＝Ａ３／湿度暴露量＋Ｄ３（Ａ３とＤ３は定数）の直線で近似される。この結果、受信した情報データのうちの湿度と使用時間のデータから算出した湿度暴露量の値がＨＧであれば、寿命ＪＬは、「Ａ３／ＨＧ＋Ｄ３」と算定される。なお、湿度が寿命に及ぼす影響は、偏光板については、定数Ａ３，Ｄ３の値が異なるものの、パネルと同様であることが確かめられている。一方、光源５０については、湿度が寿命に及ぼす影響が小さく、本実施例では考慮しないこととする。
【００６１】
以上説明したように、光量、温度暴露量、湿度暴露量を用いることによって、消耗部品の寿命を算定することができる。換言すれば、寿命に影響を及ぼす情報データとして、使用時間、温度、湿度、照度の各データが必要なのである。そして、実際には、プロジェクタＰＪ１の使用時間中に生じている照度、温度、湿度のそれぞれの大きさが、同時に各消耗部品の寿命に影響を与えることになる。従って、本実施例では、消耗部品のうち光源５０の寿命ＪＬは、式（１）で算定するものとする。また、パネル６０，７０，８０、および偏光板６１，６２，７１，７２，８１，８２の寿命ＪＬは、式（２）で算定するものとする。なお、Ａ，Ｂ，Ｃ，Ｄは、それぞれの消耗部品に応じた値を有する定数である。
ＪＬ＝Ａ／光量＋Ｄ                                  …（１）
ＪＬ＝Ａ／光量＋Ｂ／温度暴露量＋Ｃ／湿度暴露量＋Ｄ  …（２）
【００６２】
ちなみに、受信した情報データのうち、照度と使用時間のデータから算出した光量の値がＬＧ、温度と使用時間のデータから算出した温度暴露量の値がＴＧ、湿度と使用時間のデータから算出した湿度暴露量の値がＨＧであれば、光源の寿命ＪＬは、「Ａ／ＬＧ＋Ｄ」と算定され、パネル（または偏光板）の寿命ＪＬは、「Ａ／ＬＧ＋Ｂ／ＴＧ＋Ｃ／ＨＧ＋Ｄ」と算定される。
【００６３】
それでは、本実施例のプロジェクタ管理システムを構成するプロジェクタＰＪ１と管理装置１０とで行われる処理について、図５と図６を用いて具体的に説明する。図５は、プロジェクタＰＪ１において行われる処理を示すフローチャート、図６は、管理装置１０において行われる処理を示すフローチャートである。
【００６４】
まず、図５を参照して、プロジェクタＰＪ１における処理について説明する。この処理が開始されると、まずステップＳ１０１にて、電源接続処理を行う。プロジェクタＰＪ１の使用者は、リモコンなどの入力装置を操作して、入力信号の待機状態であったＣＰＵ１１０に対して電源の接続を指示することによって、ＣＰＵ１１０がプロジェクタＰＪ１内に設けられた電源接続回路（図２において不図示）を動作させて、この処理を行う。
【００６５】
次に、ステップＳ１０２にて、光源点灯開始処理を行い、続く、ステップＳ１０３にて光源点灯日時を取得処理する。ＣＰＵ１１０は、光源駆動回路１６０を動作させて光源５０を点灯させる。そして、光源駆動回路１６０からの駆動信号が光源５０に出力された時点における日時を、時計回路１７０から取得する。
【００６６】
なお、ＣＰＵ１１０が照度センサＬＳの値を読み取り、光源５０が消耗部品の寿命を算定するために有効であると定められた照度で発光を開始した時刻（年、月、日を含む）を光源点灯日時として、時計回路１７０から取得することとしてもよい。光源５０が高圧水銀ランプの場合は、点灯から所定の時間経過後に通常使用する明るさに到達することから、光源点灯日時をこのようにして取得することが好ましい。
【００６７】
次に、ステップＳ１０４にて光源点灯継続時間を計測処理する。ＣＰＵ１１０は、時計回路１７０が刻む時間を計測する。なお、点灯開始と同時に時間を計測するタイマを別途設けて、光源点灯継続時間を計測処理することとしてもよい。
【００６８】
次に、ステップＳ１０５にて、光源が消灯したか否かを判定処理する。本実施例では、プロジェクタＰＪ１において、プロジェクタＰＪ１の使用者がリモコンなどの入力装置を操作して、プロジェクタＰＪ１の電源切断指示を出力したとき、光源５０が消灯されるように構成されているものとする。従って、ＣＰＵ１１０は、電源切断の指示の有無を確認することによって、光源５０が消灯したか否かを判定する。
【００６９】
判定の結果、光源５０が消灯していない場合（ステップＳ１０５：ＮＯ）、ステップＳ１０６に進み、情報データの取得タイミングか否かを判定処理する。本実施例では、所定の時間間隔（例えば１０分間隔とか１時間間隔、あるいは１日間隔など）が情報データの取得タイミングとして、予めＲＯＭ１３０に格納されているものとする。従って、ＣＰＵ１１０は、格納された所定の時間間隔を読み出し、時計回路１７０が計測する時間が、この時間間隔になったか否かを判定する。
【００７０】
格納された時間間隔は、本実施例では等間隔の時間間隔ｔｎであるものとする。もとより、等間隔でなくてもよい。あるいは、点灯開始直後は短い時間間隔で、時間の経過とともに次第に長くなる時間間隔であってもよい。またその逆であってもよい。こうすれば、例えば照度、温度、湿度が変動する場合、変動する照度、温度、湿度に応じた長さの時間間隔にすることによって、情報データを適切に取得することができる。なお、所定の時間間隔は、プロジェクタＰＪ１の使用者が、キーボード２１やマウス２２を用いて、時間間隔データを入力することとしてもよい。
【００７１】
そして、光源点灯継続時間が時間間隔分に至っていない（ステップＳ１０６：ＮＯ）場合は、ステップＳ１０４に戻り、ステップＳ１０４とステップＳ１０５の処理を繰り返す。そして、繰り返されるステップＳ１０６の判定処理において、計測された光源点灯継続時間が時間間隔分に至ると情報データの取得タイミングであると判定され（ステップＳ１０６：ＹＥＳ）、ステップＳ１０７〜Ｓ１０９の処理を実行する。
【００７２】
まず、ステップＳ１０７にて照度データを取得処理する。ＣＰＵ１１０は、照度センサＬＳのデータを入力Ｉ／Ｆ１４０を介してＲＡＭ１２０に記憶することによって取得する。続いて、ステップＳ１０８にて温度データを取得処理する。ＣＰＵ１１０は、温度センサＴｒＳ，ＴｇＳ，ＴｂＳの各データを入力Ｉ／Ｆ１４０を介してＲＡＭ１２０に記憶することによって取得する。さらに続いて、ステップＳ１０９にて湿度データを取得処理する。ＣＰＵ１１０は、湿度センサＨＳのデータを入力Ｉ／Ｆ１４０を介してＲＡＭ１２０に記憶することによって取得する。
【００７３】
ステップＳ１０９の処理後、再びステップＳ１０４に戻り、引き続いて光源点灯継続時間を計測し、ステップＳ１０５以降の処理を繰り返す。従って、光源５０が点灯を継続している間（ステップＳ１０５：ＮＯ）、次の情報データの取得タイミングとなる時間が経過する毎、つまり時間間隔ｔｎ毎に、照度データ、温度データ、湿度データが取得される。
【００７４】
そして、ステップＳ１０５にて判定の結果、光源が消灯した場合（ＹＥＳ）、ステップＳ１１０の処理に進み、光源消灯日時を取得処理する。ＣＰＵ１１０は、光源５０への駆動信号の出力を停止した時刻（年、月、日を含む）を、時計回路１７０（図２参照）から読み取り、ＲＡＭ１２０に記憶することによって取得する。
【００７５】
次に、ステップＳ１１１にて、取得した各データを管理装置に送信処理する。ＣＰＵ１１０は、ＲＡＭ１２０に記憶した光源点灯日時データ、時間間隔ｔｎ毎の照度データ、温度データ、湿度データ、光源消灯日時データ、およびプロジェクタＰＪ１のＩＤデータからなる情報データを、出力Ｉ／Ｆ１５０を介して、接続されているＬＡＮに応じたデータ形式で、ＬＡＮに対して出力することによって送信する。
【００７６】
その後、ステップＳ１１２にて電源切断処理を行い、プロジェクタＰＪ１における処理が終了する。ＣＰＵ１１０は電源接続回路の動作を停止させて、電源を切断する。なお、電源の切断後は、ＣＰＵ１１０は、プロジェクタＰＪ１の使用者によるリモコンなどの入力装置から入力信号を受け付ける入力信号の待機状態となり、次回のプロジェクタＰＪ１の使用（光源の点灯）に備えることになる。
【００７７】
次に、管理装置１０における処理について説明する。前述したように、管理装置１０では、パネル６０，７０，８０、偏光板６１，６２，７１，７２，８１，８２、光源５０の各消耗部品について、その交換時期を算定処理するが、ここでは、パネル６０の交換時期の算定処理について図６を参照して説明する。もとより、その他のパネル７０，８０と偏光板６１，６２，７１，７２，８１，８２、および光源５０についての交換時期算定処理も、基本的に同様な処理で行われる。なお、光源５０についての交換時期算定処理では、上述した式（１）を用いて寿命を算定することから、情報データのうち温度データと湿度データは不要である。
【００７８】
この処理が開始されると、まずステップＳ１１にて、プロジェクタから送信される各データを受信処理する。そして、ステップＳ１２にて受信した各データを記憶処理する。ＣＰＵ１１は、ネットワークＮＴを経由して送信された情報データを、入力Ｉ／Ｆ１８を介して取得し、取得した情報データをＲＡＭ１６に記憶する。
【００７９】
次に、ステップＳ１３にて、記憶された総ての各データから、光量、温度暴露量、湿度暴露量を算出する処理を行う。ＣＰＵ１１は、プロジェクタＰＪ１からこれまでに送信された総ての情報データを用いて、光量、温度暴露量、湿度暴露量を算出する。
【００８０】
本実施例では、図７に示したようにプロジェクタＰＪ１から送信された情報データが蓄積して記憶されているものとする。すなわち、プロジェクタＰＪ１に用いられたパネル６０は前回初めて使用され、光源点灯日時ＤＤ１と光源消灯日時ＤＤ２と、温度センサＴｒＳが示す温度データＴ１，Ｔ２、湿度センサＨＳが示す湿度データＨ１，Ｈ２、照度センサＬＳが示す照度データＬ１，Ｌ２とが、プロジェクタＰＪ１（すなわちパネル６０）の１回目の使用時の情報データとして既に記憶されているものとする。そして、今回のステップＳ１２の処理では、送信される情報データは、プロジェクタＰＪ１の２回目の使用時の情報データであり、光源点灯日時ＤＤ３と光源消灯日時ＤＤ４と、温度センサＴｒＳが示す温度データＴ３，Ｔ４，Ｔ５、湿度センサＨＳが示す湿度データＨ３，Ｈ４，Ｈ５、照度センサＬＳが示す照度データＬ３，Ｌ４，Ｌ５とが、情報データとしてそれぞれ記憶されているものとする。
【００８１】
次に、記憶されたこれらの各情報データから温度暴露量を算出する方法について説明する。ＣＰＵ１１は最初の使用時における温度データＴ１と温度データＴ２の平均値Ｔｈ１を求める。次に、光源点灯日時ＤＤ１と光源消灯日時ＤＤ２との差分時間、つまり使用時間ｔＵ１を算出する。次に、温度データの平均値Ｔｈ１と使用時間ｔＵ１を乗算して、最初の使用時における温度暴露量ＴＧ１を求める。次に、今回（２回目）の使用時についても同様に演算を行う。すなわち、ＣＰＵ１１は今回の使用時における温度データＴ３〜Ｔ５の平均値Ｔｈ２を求める。次に、光源点灯日時ＤＤ３と光源消灯日時ＤＤ４との差分時間、つまり使用時間ｔＵ２を算出する。次に、温度データの平均値Ｔｈ２と使用時間ｔＵ２を乗算して、今回の使用における温度暴露量ＴＧ２を求める。そして、ＣＰＵ１１は、温度暴露量ＴＧ１と温度暴露量ＴＧ２とを加算して温度暴露量を算出するのである。
【００８２】
なお、光量および湿度暴露量についての算出方法も、温度暴露量の算出と同様であるので、ここでは説明を省略する。
【００８３】
図６のフローチャートに戻り、次に、ステップＳ１４にて、パネルの寿命を算定処理する。ＣＰＵ１１は、上述した式（２）を用いてパネル６０の寿命を算定する。なお、式（２）および各定数Ａ，Ｂ，Ｃ，Ｄの値は、予めＲＯＭ１７にプロジェクタＰＪ１のＩＤデータに対応して格納されているものとする。従って、ＣＰＵ１１は、情報データからプロジェクタＰＪ１のＩＤデータを読み取り、対応する各定数を有する式（２）に従って、パネル寿命ＪＬを算定する。算定したパネル寿命ＪＬはＲＡＭ１６に記憶される。
【００８４】
次に、ステップＳ１５にて、プロジェクタの累積使用時間を算出処理する。ＣＰＵ１１は、光源点灯日時ＤＤ１と光源消灯日時ＤＤ２との差分時間と、光源点灯日時ＤＤ３と光源消灯日時ＤＤ４との差分時間を算出し、これらを加算してプロジェクタＰＪ１の累積使用時間を算出する。算出した累積使用時間はＲＡＭ１６に記憶される。
【００８５】
次に、ステップＳ１６にて、プロジェクタの使用時間率を算出する。ＣＰＵ１１は、光源点灯日時ＤＤ１と光源消灯日時ＤＤ４との差分時間を算出し、ステップＳ１５にて算出したプロジェクタＰＪ１の累積使用時間との比率を、使用時間率として算出する。使用時間率は、プロジェクタＰＪ１について最初の使用を開始してから最後の使用を終了するまでの経過時間に対して、光源５０を点灯して実際に使用した時間を割合で示したものであり、所謂稼働率である。
【００８６】
次に、ステップＳ１７にて、パネル交換時期を算定処理し、続くステップＳ１８にて、算定したパネル交換時期を記憶処理して管理装置１０での処理を終了する。ＣＰＵ１１は、ステップＳ１４にて算定したパネル６０の寿命と、ステップＳ１５にて算出したプロジェクタＰＪ１の累積使用時間と、ステップＳ１６にて算出した使用時間率とを用いて、パネル交換時期を算定し、ＲＡＭ１６に記憶する。
【００８７】
ステップＳ１５からステップＳ１７までの処理について、図８を用いて補足説明する。図８は、パネルの交換時期を算定する方法を図解した説明図である。横軸は年、月、日、時刻を含む日時軸、縦軸は時間軸である。プロジェクタＰＪ１から送信される情報データを受信する毎に、管理装置１０での処理が行われることから、図示するように、プロジェクタＰＪ１の２回目の使用時、情報データを送信する光源消灯日時ＤＤ４において寿命算定が行われる。このとき、１回目のプロジェクタＰＪ１の使用時に送信される情報データを含めて、前述した処理によって算定されたパネル寿命が寿命ＪＬであったとすると、図示するように、パネル寿命までの残時間は、寿命ＪＬから累積使用時間を減算した時間になる。
【００８８】
このとき、算出される使用時間率は破線で示した直線となる。ここで、本実施例では、以降も同様な使用状況が続くものとする。つまり、使用時間率は以降も変化しないものとする。従って、使用時間率から実使用時間が残時間となるの日時の経過分、つまり使用時間率を示す直線上において、算定されたパネル寿命ＪＬに対応する日時を求めることによって、パネル交換時期が算定されるのである。
【００８９】
上述したように、本実施例によれば、プロジェクタＰＪ１から使用時の情報データを送信し、管理装置１０にて、受信した情報データを用いて各消耗部品の交換時期を算定することができる。従って、プロジェクタの使用時にプロジェクタから送信される消耗部品に関する情報データを用いて、消耗部品についての寿命を算定し、算定した寿命から消耗部品の交換時期を算定することができる。従って、算定した消耗部品の交換時期の精度は高いことが期待できる。その後、算定した交換時期を、例えば表示装置２０に表示すれば、どのプロジェクタにおいてどの消耗部品が、どのくらいの交換時期になっているかを、プロジェクタの保守管理者などが表示内容を見て確認することができる。
【００９０】
以上、本発明の実施の形態について実施例により説明したが、本発明はこうした実施例に何ら限定されるものではなく、本発明の趣旨を逸脱しない範囲内において様々な形態で実施し得ることは勿論である。以下、変形例をあげて説明する。
【００９１】
（第１変形例）
上記実施例では、管理装置１０において、算定した消耗部品の交換時期を記憶して処理を終了することとしたが、これに限らず、プロジェクタＰＪ１の保守管理者が認知できる通知方法を用いて、算定したパネルの交換時期をプロジェクタＰＪ１の保守管理者に通知することとしてもよい。こうすれば、プロジェクタの保守管理者に消耗部品としてのパネルの交換時期を通知することができるので、消耗部品は、プロジェクタの保守管理者によって確実に交換されることが期待できる。
【００９２】
本変形例を図９に示した。図９は、本変形例の管理装置１０ａの概略構成を示した説明図である。図示するように、管理装置１０ａは、図３に示した上記実施例の管理装置１０に対して、ＣＰＵ１１が司る機能として通知部１５を備えたものである。また、出力Ｉ／Ｆ１９に接続された装置として、表示装置２０以外に、印刷装置ＰＲＴ、電話ＴＥＬ、ファックスＦＡＸが通知手段として接続されたものである。その他の構成は、上記実施例と同じである。
【００９３】
本変形例では、図６に示したフローチャートにおいて、ステップＳ１８に引き続き、ＣＰＵ１１が出力Ｉ／Ｆ１９を介して、記憶されたパネル交換時期のデータを、プロジェクタの保守管理者の情報データとともに、少なくとも接続された装置の一つに出力する。なお、プロジェクタの保守管理者に関する固有データ（住所、電話番号、ＦＡＸ番号などのデータ）は、予めプロジェクタのＩＤデータに紐付けしてＲＯＭ１７に格納されているものとする。
【００９４】
例えば、印刷装置ＰＲＴへは、交換対象のパネル名のデータと、パネルの交換時期のうち少なくとも年、月、日のデータを、保守管理者の住所データとともに出力し、所定の葉書に印刷させる。その後、投函処理を行うことによって葉書として保守管理者に通知される。あるいは、電話ＴＥＬへは、交換対象のパネル名と、パネルの交換時期のうち少なくとも年、月、日を伝える所定の音声データと、保守管理者の電話番号データとを出力し、電話ＴＥＬを動作させて保守管理者に自動的に通話することによって通知する。あるいは、ファックスＦＡＸへは、交換対象のパネル名のデータと、パネルの交換時期のうち少なくとも年、月、日のデータと、保守管理者のＦＡＸ番号データとを出力し、ＦＡＸを動作させてパネル名と交換時期を文字によって保守管理者に通知する。
【００９５】
さらに、本変形例において、通知部１５は、算定された交換時期までの期間が、消耗部品に応じて予め定められた期間以内であった時に通知することが好ましい。
【００９６】
こうすれば、消耗部品の交換時期を消耗部品に応じた期間前にプロジェクタの保守管理者に通知することができるので、消耗部品は、プロジェクタの保守管理者によって寿命前に確実に交換されることが期待できる。
【００９７】
各消耗部品は、プロジェクタの構造によって、交換に要する期間が通常異なる場合が多く存在する。例えば、光源５０は、プロジェクタＰＪ１の端部に位置し、交換構造が構成されて交換時間が短い場合が多いが、パネルはプロジェクタＰＪ１の内部に配置され、プロジェクタＰＪ１を分解して交換するために交換時間が長い場合がある。そこで、このような交換時間の差異を考慮し、算定された交換時期までの期間が、消耗部品に応じて予め定められた期間以内であった時に通知すれば、次回のプロジェクタＰＪ１の使用前までに、消耗部品の交換処理を完了することが可能となる。
【００９８】
本変形例では、消耗部品に応じた期間がＲＯＭ１７に予め格納されているものとする。従って、ＣＰＵ１１は、ＲＯＭ１７に格納された消耗部品に応じた期間を読み出し、最後に受信した情報データに含まれる光源消灯日時から、算定された交換時期までの期間を算出し、算出した期間が消耗部品に応じた期間よりも短いか否かを判定する。そして、短いと判定したときに、交換時期のデータを、プロジェクタの保守管理者の情報データとともに、出力Ｉ／Ｆ１９に接続された通知手段の少なくとも一つに出力するようにすればよい。
【００９９】
（第２変形例）
また、上記実施例では、プロジェクタＰＪ１の１回の使用において、情報データを光源５０の消灯タイミングで管理装置１０に送信することとしたが、これに限るものでないことは勿論である。例えば、所定の時間間隔で行われる情報データの取得タイミング毎に、都度管理装置１０に送信することとしてもよい。
【０１００】
プロジェクタＰＪ１の使用方法として、光源５０を点灯した後、光源５０を消灯することなく常に点灯を継続して使用する場合がある。このような場合、光源５０の消灯タイミングが存在しないので、情報データを管理装置１０に対して送信できなくなる。そこで、このような場合は、所定の時間間隔で行われる情報データの取得タイミング毎に、都度管理装置１０に送信する。こうすることよって、消耗部品の寿命を算定することができるので、消耗部品の交換時期を適切に算定することができる。もとより、プロジェクタＰＪ１を連続使用する場合でなくても、所定の時間間隔で行われる情報データの取得タイミング毎に、取得した情報データを都度管理装置１０に送信することとしてもよい。
【０１０１】
本変形例によるパネル交換時期の算定の概要を図１０に示した。図１０は、プロジェクタを連続使用する場合におけるパネルの交換時期を算定する方法を図解した説明図である。横軸は年、月、日、時刻を含む日時軸、縦軸は時間軸である。プロジェクタＰＪ１からは、所定の時間間隔ｔｎ毎に情報データを取得する都度、管理装置１０に対して取得した情報データを送信する。従って、管理装置１０では、所定の時間間隔ｔｎ毎に寿命算定処理が行われることになる。そして、図示するように、プロジェクタＰＪ１からの３回目の情報データ送信時に行われる寿命算定処理によって、算定されたパネル寿命が寿命ＪＬであったとすると、図示するように、パネル寿命までの残時間は、寿命ＪＬから累積使用時間を減算した時間になる。
【０１０２】
このとき、算出される使用時間率は連続使用であることから１００％であるので、パネル交換時期は、３回目の情報データ取得時の日時から残時間経過後の日時として算定されることになる。
【０１０３】
（その他の変形例）
上記実施例では、プロジェクタＰＪ１が使用される都度、プロジェクタＰＪ１から情報データを管理装置１０に送信し、管理装置１０において、送信された情報データを蓄積記憶し、蓄積された情報データを用いて消耗部品の寿命を算定した。このため、管理装置１０には、情報データの受信対象となるプロジェクタの数分に応じた情報データの記憶領域が必要となり、大きな記憶容量のメモリを備える必要があった。そこで、変形例として、取得した情報データを管理装置１０に送信する都度、送信した情報データをプロジェクタＰＪ１に蓄積して記憶することとし、次回管理装置１０に情報データを送信するときに、蓄積した情報データを一緒に送信することとしてもよい。
【０１０４】
こうすれば、プロジェクタＰＪ１の使用に関する情報データの蓄積データを、都度管理装置１０に送信するので、情報データを蓄積するための記憶領域を管理装置１０に設ける必要がない。従って、管理装置の記憶容量が少なくて済む。
【０１０５】
また、上記実施例では、パネルの交換時期の算定処理（図６参照）において、ステップＳ１３の処理では、受信した温度データと温度データの平均値を求め、求めた平均値に使用時間を乗算して、温度暴露量を算出したが、これに限るものでないことは勿論である。例えば、受信した温度データのそれぞれに対して、対応する使用時間を乗算し、乗算した値を合計して温度暴露量を算出することとしてもよい。
【０１０６】
例えば、最初の使用時における温度データＴ１と温度データＴ２のそれぞれについて、まず温度データＴ１に対しては時間間隔ｔｎを乗算する。次に、温度データＴ２に対しては、光源点灯日時ＤＤ１と光源消灯日時ＤＤ２との差分時間つまり使用時間ｔＵ１から時間間隔ｔｎを差し引いた時間を乗算する。そして、これらの乗算した各値を合計して、最初の使用における温度暴露量ＴＧ１を求めるようにすればよい。こうすれば、温度暴露量の算出精度が高くなることが期待できる。
【０１０７】
また、上記実施例では、情報データを所定の時間間隔ｔｎで繰返し取得することとしたが、特にこれに限らず、１回のみ情報データを取得することとしてもよい。プロジェクタの使用中、照度、温度、湿度が大きく変化しないような場合は、複数回情報データを取得する必要がない。そこで、凡そ照度、温度、湿度が安定する時間の経過後に１回情報データを取得すればよい。
【０１０８】
また、上記実施例では、プロジェクタＰＪ１は、透過型の液晶パネルを用いた光学系を備えたこととしたが、これ以外のパネルを用いた光学系を備えることとしてもよい。例えば、反射型液晶パネルや、マイクロミラーデバイスを用いた鏡による反射型パネルを用いることもできる。なお、反射型液晶パネルの場合は、説明は省略するが、偏光板は共通使用のため一枚のみ用いることとなる。また、反射型パネルの場合は、偏光板は必ずしも必要としない。
【図面の簡単な説明】
【０１０９】
【図１】本発明の一実施例となるプロジェクタ管理システムの概要説明図。
【図２】プロジェクタの概略構成を示した説明図。
【図３】管理装置の概略構成を示した説明図。
【図４】消耗部品の寿命に対する影響を、試験で確かめた結果を示した説明図。
【図５】プロジェクタにおいて行われる処理を示すフローチャート。
【図６】管理装置において行われる処理を示すフローチャート。
【図７】プロジェクタから送信される情報データを示す図。
【図８】パネルの交換時期を算定する方法を図解した説明図。
【図９】第１変形例の管理装置の概略構成を示した説明図。
【図１０】第２変形例で、プロジェクタを連続使用する場合におけるパネルの交換時期の算定方法を図解した説明図。
【符号の説明】
【０１１０】
１０…管理装置（コンピュータ）、１０ａ…管理装置、１１…ＣＰＵ、１２…受信部、１３…寿命算定部、１４…交換時期算定部、１５…通知部、１６…ＲＡＭ、１７…ＲＯＭ、１８…入力Ｉ／Ｆ、１９…出力Ｉ／Ｆ、２０…表示装置、２１…キーボード、２２…マウス、４１，４２…ダイクロイックミラー、４３，４４，４５…ミラー、５０…光源、６０，７０，８０…パネル、６１，６２，７１，７２，８１，８２…偏光板、９０…クロスプリズム、９１…投射レンズ、１００…制御部、１１０…ＣＰＵ、１１１…取得部、１１２…送信部、１２０…ＲＡＭ、１３０…ＲＯＭ、１４０…入力Ｉ／Ｆ、１５０…出力Ｉ／Ｆ、１６０…光源駆動回路、１７０…時計回路。
【図１】
2009251488.tif 000003
【図２】
2009251488.tif 000004
【図３】
2009251488.tif 000005
【図４】
2009251488.tif 000006
【図５】
2009251488.tif 000007
【図６】
2009251488.tif 000008
【図７】
2009251488.tif 000009
【図８】
2009251488.tif 000010
【図９】
2009251488.tif 000011
【図１０】
2009251488.tif 000012